(57)【特許請求の範囲】
【請求項１】
壁部又は屋根を形成し、外表面に沿って植物の蔓を巻き付ける植物伸長用補助部材を取り付ける補助部材取付具を係止することができる緑化用板状部材であって、
前記外表面には、突出する複数のリブと、当該複数のリブとリブとの間に形成される溝部とを備え、
前記リブには、前記補助部材取付具を係止する係合凸部が、前記溝部の底面と隙間をあけて当該リブから前記溝部に向かって突出するように設けられていることを特徴とする緑化用板状部材。
【請求項２】
前記係合凸部は、前記溝部の延びる方向に設けられていることを特徴とする緑化用板状部材。
【請求項３】
請求項１又は２に記載の緑化用板状部材に取り付ける補助部材取付具であって、
前記溝部の底面と前記リブに設けられた係合凸部との間に装着されて前記溝部に取り付けられる固定部と、
前記固定部に結合され、前記溝部から前記緑化用板状部材の外表面方向に突出して前記植物伸長用補助部材を取り付けるための取付部とを備えることを特徴とする補助部材取付具。
【請求項４】
ゴム様弾性体で形成され、その弾性力によって前記固定部を前記リブの前記係合凸部側、又は前記溝部の底面側に押圧する押圧部材を更に備え、
前記取付部は、前記植物伸長用補助部材が係合される切欠き部が形成されていることを特徴とする請求項３に記載の補助部材取付具。
【請求項５】
前記固定部に形成され、前記溝部に向かう軸方向に形成された第１雌ねじ部と、
前記取付部に形成され、前記溝部に向かう軸方向に形成された第２雌ねじ部と、
前記第１雌ねじ部に螺合し、かつ、先端部が前記溝部の底面に当接して、前記固定部を前記リブに設けられた前記係合凸部の内面側に押し付けて、前記固定部を前記溝部に取り付ける留めボルトとを備え、
前記取付部は、前記植物伸長用補助部材の受け部と押さえ部とを有し、
前記受け部は、前記留めボルトが螺合する前記第２雌ねじ部によって支持され、前記植物伸長用補助部材を受ける形状に形成されており、
前記押さえ部は、前記留めボルトに螺合する留めナットによって前記受け部側に押し付けられて、前記植物伸長用補助部材を当該押さえ部と前記受け部との間に挟持するように構成されていることを特徴とする請求項３又は４に記載の補助部材取付具。
【請求項６】
請求項１又は請求項２に記載の緑化用板状部材に、請求項３乃至５のいずれか１項に記載の補助部材取付具を取り付けた壁面等の緑化構造であって、
前記緑化用板状部材の外表面に設けられた前記リブの前記係合凸部と前記溝部との間に前記補助部材取付具が取り付けられ、前記補助部材取付具に前記植物伸長用補助部材が取り付けられていることを特徴とする壁面等の緑化構造。
【請求項７】
前記植物伸長用補助部材は、網状体又は線状体であることを特徴とする請求項６に記載の壁面等の緑化構造。
【請求項８】
前記溝部の開口に被覆部が設けられ、
前記被覆部によって、前記溝部に取り付けられた前記補助部材取付具の前記固定部が被覆されていることを特徴とする請求項６又は７に記載の壁面等の緑化構造。
【請求項９】
前記リブの先端部の表面に、植物の蔓が張り付くための多数の凹凸部を設けたことを特徴とする請求項６乃至８のいずれか１項に記載の壁面等の緑化構造。
【請求項１０】
前記凹凸部は、前記溝部と平行する方向に延びる断面形状がＶ字形溝、コ字形溝若しくはあり溝、又はエンボス加工によって施された凹凸部、又は前記リブの先端部の表面に付着する粒状体、又は前記リブの先端部に設けられたタイルの表面の凹凸部によって形成されていることを特徴とする請求項９記載の壁面等の緑化構造。 
【発明の詳細な説明】
【技術分野】
【０００１】
本発明は、例えば建物、土木構造物、若しくは塀の壁部又は屋根を形成することができる緑化用板状部材の外表面に取り付けることができ、かつ、緑化用板状部材の外表面に沿って伸長する植物の蔓が巻き付くことができる植物伸長用補助部材を取り付けるための補助部材取付具、これを備える壁面等の緑化構造、及び緑化用板状部材に関する。
【背景技術】
【０００２】
従来より、建物の外壁面を緑化するために、地面にかずら等の蔓系植物類を植えてその外壁面を植物で覆う方法がある。この方法では、植物が外壁面全体を覆うには比較的長期間かかるし、植物の成長方向が一様でなく、植物に覆われていない箇所が生じ易いという問題点がある。そこで、外壁面と所定の間隔を隔てて線状体を取付け、その線状体に沿って植物を成長させて外壁面を緑化させることが行われており、当該線状体を外壁面に取付けるための支持具が提案されている（例えば、特許文献１参照。）。
【０００３】
この支持具１は、図１５（ａ）、（ｂ）に示すように、外壁面２ａに所定の間隔を隔てて突設される突設部材３と、突設部材３の先端側の受け部材４に締付ボルト５により取り付けられる押さえ部材６とを備えている。
【０００４】
この支持具１を外壁面２ａに取り付ける方法は、まず、外壁面２ａに互いに所定の間隔を隔ててアンカーボルト７を設けて、このアンカーボルト７に突設部材３の基部８を螺合させる。アンカーボルト７には、円盤状のベース材９が挿通されており、このベース材９を介して支持具１が外壁面２ａに取り付けられている。このベース材９は、本体９ａの両面に弾性部材９ｂ、９ｂが取り付けられたものである。
【０００５】
このベース材９によると、突設部材３を外壁面２ａに取り付ける際、アンカーボルト７に螺合する基部８を必要以上の力で締め付けても、その締付け力が弾性部材９ｂ、９ｂで吸収されて、外壁２が破損することを防止できる。更に、基部８とベース材９との間、及びベース材９と外壁面２ａとの間は、弾性部材９ｂ、９ｂによって密封されているので、それらの間からは、雨水が外壁２及び基部８内に浸入し難くなっている。
【０００６】
また、植物が成長する際にその蔓を巻き付かせるためのフェンス１１を、この支持具１に取り付けるときは、図１５（ａ）、（ｂ）に示す受け部材４の受け面４ａと、押さえ部材６の押さえ面６ａとの間にフェンス１１の線状体１１ａを挟み込み、締付ボルト５を締め付ける。これによって、フェンス１１を、支持具１を使用して外壁面２ａに取り付けることができる。
【０００７】
なお、図１５（ａ）、（ｂ）に示す受け部材４の下面には、雄ねじ部４ｂが結合し、この雄ねじ部４ｂは、基部８に螺合している。そして、雄ねじ部４ｂに螺合する固定ナット１２を締め付けることによって、雄ねじ部４ｂを基部８に固定することができる。
【先行技術文献】
【特許文献】
【０００８】
【特許文献１】特開２００７−２２５０７０号公報
【発明の概要】
【発明が解決しようとする課題】
【０００９】
図１５（ａ）、（ｂ）に示す従来の支持具１では、基部８とベース材９との間、及びベース材９と外壁面２ａとの間は、弾性部材９ｂ、９ｂによって密封されているので、それらの間からは、雨水が外壁２及び基部８内に浸入し難くなっているが、例えば年月の経過によって、基部８のアンカーボルト７に対する締付け力が低下すると、基部８とベース材９との間、及びベース材９と外壁面２ａとの間の密封力が低下したり、弾性部材９ｂ、９ｂが劣化することがあり、それらの間から雨水が外壁２内及び基部８内に浸入することがある。これによって、外壁２及び支持具１の強度が低下したり、寿命が短くなることがある。
【００１０】
つまり、図１５（ａ）、（ｂ）に示す従来の支持具１では、外壁面２ａに互いに所定の間隔を隔ててアンカーボルト７用の穴を開けて、その穴にアンカーボルト７を打ち込み、このアンカーボルト７に当該支持具１を取り付けるようにしているので、外壁面２ａに予め防水処理を施しても、このアンカーボルト７用の穴から雨水等が外壁２内に浸入することがある。
【００１１】
本発明は、上記のような課題を解決するためになされたものであり、緑化用板状部材の防水性能や強度が低下しないように、補助部材取付具を緑化用板状部材に取り付けることができる補助部材取付具、壁面等の緑化構造及び緑化用板状部材を提供することを目的としている。
【課題を解決するための手段】
【００１２】
本発明に係る緑化用板状部材は、壁部又は屋根を形成し、外表面に沿って植物の蔓を巻き付ける植物伸長用補助部材を取り付ける補助部材取付具を係止することができる緑化用板状部材であって、前記外表面には、突出する複数のリブと、当該複数のリブとリブとの間に形成される溝部とを備え、前記リブには、前記補助部材取付具を係止する係合凸部が、前記溝部の底面と隙間をあけて当該リブから前記溝部に向かって突出するように設けられていることを特徴とするものである。 
【００１３】
本発明に係る緑化用板状部材によると、外表面に設けられた複数のリブとリブとの間に形成された溝部の底面と、リブから溝部に向かって突出する係合凸部とによって、補助部材取付具を溝部に取り付けることができる。
【００１４】
この発明に係る緑化用板状部材において、前記係合凸部は、前記溝部の延びる方向に設けられていてもよい。
【００１５】
このようにすると、溝部の延びる方向に設けられた係合凸部により、溝部のいずれの位置でも補助部材取付具を取り付けることができる。
【００１６】
本発明に係る補助部材取付具は、本発明に係る緑化用板状部材に取り付ける補助部材取付具であって、前記溝部の底面と前記リブに設けられた係合凸部との間に装着されて前記溝部に取り付けられる固定部と、前記固定部に結合され、前記溝部から前記緑化用板状部材の外表面方向に突出して前記植物伸長用補助部材を取り付けるための取付部とを備えることを特徴とするものである。
【００１７】
本発明に係る補助部材取付具が取り付けられる緑化用板状部材は、例えば建物、土木構造物、若しくは塀の壁部や屋根を形成するために使用されるものである。そして、この補助部材取付具によると、この補助部材取付具が備えている固定部を緑化用板状部材の溝部の底面とリブに設けられた係合凸部との間に装着することによって、この補助部材取付具を溝部に取り付けることができる。また、この補助部材取付具が備えている取付部は、植物伸長用補助部材を取り付けることができる。この植物伸長用補助部材は、緑化用板状部材の外表面に沿って伸長する植物の蔓が巻き付くことができるものである。
【００１８】
よって、この補助部材取付具を緑化用板状部材の溝部に取り付けると共に、この補助部材取付具に植物伸長用補助部材を取り付けて、この植物伸長用補助部材に所望の植物を巻き付かせることができる。これによって、壁面や屋根の緑化を図ることができる。
【００１９】
この発明に係る補助部材取付具において、ゴム様弾性体で形成され、その弾性力によって前記固定部を前記リブの前記係合凸部側、又は前記溝部の底面側に押圧する押圧部材を更に備え、前記取付部は、前記植物伸長用補助部材が係合される切欠き部が形成されているものとしてもよい。
【００２０】
このようにすると、ゴム様弾性体で形成された押圧部材の弾性力によって、固定部をリブの係合凸部側、又は溝部の底面側に押圧してこの固定部を溝部に取り付けることができる。そして、この押圧部材は、ゴム様弾性体で形成されているので、溝部に装着されたときに、緑化用板状部材を損傷させることがなく、緑化用板状部材の寿命を長引かせることができる。また、植物伸長用補助部材は、切欠き部に係合させることによって取付部に取り付けることができる。
【００２１】
この発明に係る補助部材取付具において、前記固定部に形成され、前記溝部に向かう軸方向に形成された第１雌ねじ部と、前記取付部に形成され、前記溝部に向かう軸方向に形成された第２雌ねじ部と、前記第１雌ねじ部に螺合し、かつ、先端部が前記溝部の底面に当接して、前記固定部を前記リブに設けられた前記係合凸部の内面側に押し付けて、前記固定部を前記溝部に取り付ける留めボルトとを備え、前記取付部は、前記植物伸長用補助部材の受け部と押さえ部とを有し、前記受け部は、前記留めボルトが螺合する前記第２雌ねじ部によって支持され、前記植物伸長用補助部材を受ける形状に形成されており、前記押さえ部は、前記留めボルトに螺合する留めナットによって前記受け部側に押し付けられて、前記植物伸長用補助部材を当該押さえ部と前記受け部との間に挟持するように構成されているものとしてもよい。
【００２２】
このようにすると、補助部材取付具を緑化用板状部材の溝部に取り付けるときは、第１雌ねじ部に螺合する留めボルトの先端部を溝部の底面に当接させて、この留めボルトを所定方向に回転させる。これによって、固定部をリブに設けられた係合凸部側に押し付けることができ、固定部及び留めボルトを溝部に取り付けることができる。
【００２３】
そして、植物伸長用補助部材を補助部材取付具の取付部に取り付けるときは、留めボルトが螺合する第２雌ねじ部によって支持されている受け部と、押さえ部との間に植物伸長用補助部材を挟み込んだ状態にして、留めボルトに螺合する留めナットを所定方向に回転させる。これによって、押さえ部を受け部側に押し付けることができ、押さえ部と受け部との間に植物伸長用補助部材を挟持することができる。このようにして、植物伸長用補助部材を取付部に取り付けることができる。
【００２４】
本発明に係る壁面等の緑化構造は、本発明に係る緑化用板状部材に、本発明に係る補助部材取付具を取り付けた壁面等の緑化構造であって、前記緑化用板状部材の外表面に設けられた前記リブの前記係合凸部と前記溝部との間に前記補助部材取付具が取り付けられ、前記補助部材取付具に前記植物伸長用補助部材が取り付けられていることを特徴とするものである。 
【００２５】
本発明に係る壁面等の緑化構造によると、本発明に係る補助部材取付具を備えており、これと同様に作用する。そして、補助部材取付具に取り付けられている植物伸長用補助部材に所望の植物を巻き付かせることができ、これによって、壁面や屋根の緑化を図ることができる。 
【００２６】
この発明に係る壁面等の緑化構造において、前記植物伸長用補助部材は、網状体又は線状体であるものとしてもよい。
【００２７】
このようにすると、この網状体又は線状体に植物を巻き付かせることができるので、この植物伸長用補助部材を所望の形状に形成することによって、緑化用板状部材の外表面において、所望の範囲での緑化を図ることができる。
【００２８】
この発明に係る壁面等の緑化構造において、前記溝部の開口に被覆部が設けられ、前記被覆部によって、前記溝部に取り付けられた前記補助部材取付具の前記固定部が被覆されているものとしてもよい。 
【００２９】
このようにすると、溝部の開口に設けられた被覆部によって、溝部に取り付けられた補助部材取付具の固定部を被覆することができ、これによって、この補助部材取付具が取り付けられた緑化用板状部材の外観の見栄えを良くすることができる。
【００３０】
この発明に係る壁面等の緑化構造において、前記リブの先端部の表面に、植物の蔓が張り付くための多数の凹凸部を設けたものとしてもよい。
【００３１】
このようにすると、植物の蔓が、リブの先端部の表面に設けられた多数の凹凸部に引っ掛かることによって、このリブの先端部の表面に張り付き易くすることができる。これによって、植物伸長用補助部材に巻き付いている植物が、リブの先端部の表面に張り付くことができるので、この植物が緑化用板状部材の表面から離脱して落下することを防止できる。
【００３２】
この発明に係る壁面等の緑化構造において、前記凹凸部は、前記溝部と平行する方向に延びる断面形状がＶ字形溝、コ字形溝若しくはあり溝、又はエンボス加工によって施された凹凸部、又は前記リブの先端部の表面に付着する粒状体、又は前記リブの先端部に設けられたタイルの表面の凹凸部によって形成されているものとしてもよい。
【００３３】
このように、凹凸部は、溝部と平行する方向に延びる断面形状がＶ字形溝、コ字形溝若しくはあり溝、又はエンボス加工によって施された凸部若しくは凹部、又はリブの先端部の表面に付着する粒状体、又はリブの先端部に設けられたタイルの表面の凹凸部によって形成することができる。そして、この凹凸部によって、リブが設けられている緑化用板状部材の表面に対して所望のデザインを施すことができる。
【００３４】
そして、凹凸部をあり溝とすることによって、植物の蔓がこのあり溝に入り込むことで、植物がリブの先端部の表面にしっかりと張り付くことができる。また、凹凸部をエンボス加工によって施すようにすると、エンボス加工に使用する押し型を所望の形状に形成することによって、種々の模様や図柄の凹凸部をリブの表面に施すことができる。
【発明の効果】
【００３５】
本発明に係る補助部材取付具によると、この補助部材取付具が備えている固定部を緑化用板状部材の溝部に装着して取り付けることができ、この固定部と結合する取付部に植物伸長用補助部材を取り付けることができる構成であるので、緑化用板状部材に穴を開けることなく、補助部材取付具を緑化用板状部材に取り付けることができる。よって、緑化用板状部材の防水性能や強度が低下しないように、補助部材取付具を緑化用板状部材に取り付けることができるし、植物伸長用補助部材を、補助部材取付具を介して緑化用板状部材に取り付けることができる。そして、この補助部材取付具は、緑化用板状部材の溝部が形成されている範囲内の任意の位置に取り付けることができる。
【００３６】
これによって、所望の形状や寸法の植物伸長用補助部材を、緑化用板状部材の上記任意の位置に取り付けることが可能となるし、補助部材取付具を緑化用板状部材に取り付けるための施工コストの低減を図ることができる。
【００３７】
そして、本発明に係る壁面等の緑化構造によると、緑化用板状部材が取り付けられる建物、土木構造物、又は塀の壁部や屋根の周囲環境及び周囲の景色等に応じて、所望の様々な植物を植物伸長用補助部材に巻き付かせることができ、これによって、壁面や屋根に対して周囲環境及び周囲の景色等に応じた緑化を図ることができる。
【００３８】
本発明に係る緑化用板状部材によると、補助部材取付具が備えている固定部を緑化用板状部材の溝部に装着して取り付けることができる構成であるので、緑化用板状部材に穴を開けることなく、補助部材取付具を当該緑化用板状部材に取り付けることができる。
【図面の簡単な説明】
【００３９】
【図１】この発明の第１実施形態に係る壁面等の緑化構造を示す横断面図である。
【図２】図１に示す壁面等の緑化構造の部分拡大断面図である。
【図３】図２に示す壁面等の緑化構造に使用されている補助部材取付具を示す図であり、（ａ）は、拡大正面図、（ｂ）は、拡大側面図である。
【図４】図１に示す壁面等の緑化構造が備える植物伸長用補助部材に蔓系植物が巻き付いている状態を示す斜視図である。
【図５】図４に示す壁面等の緑化構造が備える植物伸長用補助部材に蔓系植物が巻き付いている状態を示す横断面図である。
【図６】同発明の第２実施形態に係る壁面等の緑化構造を示す横断面図である。
【図７】図６に示す壁面等の緑化構造の部分拡大断面図である。
【図８】図７に示す壁面等の緑化構造に使用されている補助部材取付具を示す図であり、（ａ）は、拡大正面図、（ｂ）は、拡大側面図である。
【図９】同発明の第３実施形態に係る壁面等の緑化構造を示す横断面図である。
【図１０】図９に示す壁面等の緑化構造の部分拡大断面図である。
【図１１】図１０に示す壁面等の緑化構造に使用されている補助部材取付具を示す図であり、（ａ）は、拡大正面図、（ｂ）は、拡大平面図、（ｃ）は、拡大側面図である。
【図１２】同発明の他の実施形態に係る壁面等の緑化構造を示す部分拡大横断面図である。
【図１３】同発明の更に他の実施形態に係る壁面等の緑化構造を示す部分拡大横断面図である。
【図１４】同発明の更に他の実施形態に係る壁面等の緑化構造を示す部分拡大横断面図である。
【図１５】従来の支持具にフェンスを取り付ける手順を説明するための図であり、（ａ）は、線状体を取り付ける前の状態を示す拡大断面図、（ｂ）は、線状体を取り付けた状態を示す拡大断面図である。
【発明を実施するための形態】
【００４０】
以下、本発明に係る補助部材取付具、これを備える壁面等の緑化構造、及び緑化用板状部材の第１実施形態を、図１〜図５を参照して説明する。この補助部材取付具１４は、図４及び図５に示すように、例えば建物、土木構造物、若しくは塀の壁部、又は屋根を形成することができる緑化用板状部材１６の外表面の溝部１７に取り付けることができ、かつ、緑化用板状部材１６の外表面に沿って伸びる植物１８の蔓が巻き付くことができる植物伸長用補助部材１９を取り付けることができるものである。そして、壁面等の緑化構造１５は、緑化用板状部材１６、補助部材取付具１４、及び植物伸長用補助部材１９を備えている。
【００４１】
この植物伸長用補助部材１９に巻き付かせる植物１８は、公知の壁面緑化や屋上緑化に使用される植物１８を用いることができる例えば蔓系植物である。この蔓系植物１８として、吸着系植物と登坂系植物がある。吸着系植物として、ナツヅタ、オオイタビ、キヅタ等があり、登坂系植物として、ヘデラゴールデンチャイルド、ヘデラピッツバーグ、ハツユキカヅラ等がある。
【００４２】
図１に示す緑化用板状部材１６は、例えば壁部を形成するための略矩形の板状体１６ａを備えている。この板状体１６ａの一方の表面には、互いに一定間隔を隔てて略平行して設けられた複数（例えば６つ）のリブ２０を備えている。そして、互いに隣合うリブ２０とリブ２０との間の空間が、補助部材取付具１４を取り付けるための溝部１７として形成されている。
【００４３】
このリブ２０は、図1及び図２に示すように、長さ方向に直交する断面形状が高さの低い略Ｔ字形であり、先端部には、溝部１７に向かって突出する係合凸部ａが形成されている。
【００４４】
従って、溝部１７は、図1及び図２に示すように、長さ方向に直交する断面形状が高さの低い略逆Ｔ字形であり、底部は、リブ２０側に向かって広がるように形成されている。そして、この緑化用板状部材１６のリブ２０が設けられている側の外表面の全体には、防水処理を施してある。
【００４５】
この図１に示す緑化用板状部材１６は、例えば押出成形セメント板であり、その押出方向に平行して板状体１６ａに中空部２１が形成され、各リブ２０が板状体１６ａと一体に押出成形されている。
【００４６】
この実施形態の壁面等の緑化構造１５における緑化用板状部材１６の取付方向は、図４に示すように、例えば中空部２１の長さ方向が縦方向（鉛直方向）となるように、この緑化用板状部材１６が建物の躯体（図示せず）に取り付けられている（所謂、「縦張り」されている。）。
【００４７】
そして、図４及び図５に示すように、緑化用板状部材１６の一方の側辺部に凸部２２が形成され、他方の側辺部に凹部２３が形成されており、左右に隣接して配置されている緑化用板状部材１６どうしは、これら凸部２２と凹部２３とを嵌合させて連結されている。また、緑化用板状部材１６の各辺部どうしの間に形成される目地には、ガスケットやシーリングが設けられている。
【００４８】
また、この緑化用板状部材１６は、図５に示すように、例えば建物の躯体側に設けられた下地材２４に、パネル取付金具、ボルト２６及びナット２７によって取り付けられている。
【００４９】
ただし、緑化用板状部材１６を押出成形セメント板としたが、これに代えて、金属製又は合成樹脂製の板状部材としてもよい。緑化用板状部材１６の材質は、その緑化用板状部材１６が使用される例えば建物、土木構造物、又は塀の各壁部や、屋根等の用途に適した金属製又は合成樹脂製とすることができる。
【００５０】
そして、緑化用板状部材１６を構成する板状体１６ａとリブ２０とは、一体に形成してもよいし、別個の部品として製造して、リブ２０を板状体１６ａに取り付けるようにしてもよい。
【００５１】
また、図１に示すように、緑化用板状部材１６の表面には、６つのリブ２０が設けられているが、このリブ２０の数は、緑化用板状部材１６の横方法（幅方向）の寸法に応じて適切な数に設定することができる。また、リブ２０及び溝部１７の大きさや形状は、この緑化用板状部材１６によって形成された建物等の外壁面及び屋根の外観や、補助部材取付具１４の大きさや形状等に応じて適宜設定することができる。そして、リブ２０どうしの間隔も、補助部材取付具１４の大きさや形状等に応じて適宜設定することができる。
【００５２】
次に、図１〜図５を参照して補助部材取付具１４を説明する。この補助部材取付具１４は、図２に示すように、補助部材取付体２８、及び押圧部材２９を備えており、リブ２０とリブ２０との間に形成されている溝部１７に取り付けることができるものである。そして、この補助部材取付体２８に植物伸長用補助部材１９を取り付けることができる。この植物伸長用補助部材１９は、図４に示すように、緑化用板状部材１６の外表面に沿って伸長する植物１８の蔓が巻き付くことができるようにするためのものである。
【００５３】
また、図４に示すように、補助部材取付具１４は、例えば緑化用板状部材１６に形成されている５つの各溝部１７のうち、両端の２つの各溝部１７と中央の1つの溝部１７に着脱自在に取り付けられており、これら３つの各溝部１７には、補助部材取付具１４が上下方向に互いに間隔を隔てて４つずつ取り付けられている。勿論、補助部材取付具１４を緑化用板状部材１６の溝部１７に取り付ける位置や個数は、これ以外の位置や個数としてもよく、要は、植物伸長用補助部材１９をしっかりと緑化用板状部材１６の溝部１７に取り付けることができるようにすればよい。
【００５４】
この補助部材取付体２８は、例えば金属製又は合成樹脂製であり、図２及び図３（ａ）の正面図に表れているように、正面形状が略逆Ｔ字形状であり、固定部３０と取付部３１とを備えている。
【００５５】
固定部３０は、矩形の板状体であり、図２に示すように、この固定部３０の下面と溝部１７の底面１７ａとの間に例えば合成ゴム製（ゴム様弾性体）の押圧部材２９を配置した状態で、溝部１７の底側部に装着することができる形状である。この押圧部材２９は、固定部３０と同等の形状及び大きさである。そして、図２に示すように、固定部３０は、溝部１７の底側部に装着された状態で、押圧部材２９の弾性力によって、固定部３０の左右の各縁部が、互いに隣合う２つの各リブ２０に形成されている一対の各係合凸部２０ａの内面（図２に示す下面）に押し付けられている。このようにして、補助部材取付具１４が溝部１７に取り付けられている。
【００５６】
ただし、図２に示すように、固定部３０の下面と溝部１７の底面１７ａとの間に押圧部材２９を配置して、この押圧部材２９の弾性力によって固定部３０をリブ２０に形成されている一対の各係合凸部２０ａに押し付けてこの溝部１７に取り付けるようにしたが、これに代えて、固定部３０の上面と２つの各係合凸部２０ａの内面との間にそれぞれ押圧部材を配置して、この一対の押圧部材の弾性力によって固定部３０を溝部１７の底面１７ａに押し付けてこの溝部１７に取り付けるようにしてもよい。
【００５７】
取付部３１は、植物伸長用補助部材１９を着脱自在に取り付けることができるものであり、図２及び図３に示すように、その下縁部が固定部３０の上面中央部に結合している。この取付部３１は、図３（ｂ）の側面図に表れているように、矩形の板状体であり、切欠き部３２が形成されている。この切欠き部３２は、植物伸長用補助部材１９の線状体１９ａが係合されることによって、この植物伸長用補助部材１９を取付部３１に取り付けることができるものである。
【００５８】
切欠き部３２は、図３（ｂ）に示すように、取付部３１の正面縁部の略中央に形成された開口から、固定部３０に略平行する方向に延びて形成され、取付部３１の略中央で略直角に屈曲してこの取付部３１の上縁部側に向かうように形成されて終端する。この切欠き部３２の終端に形成された奥側部３２ａに、植物伸長用補助部材１９の線状体１９ａが係合されて取り付けられる。そして、この奥側部３２ａに取り付けられた線状体１９ａが切欠き部３２から外れないようにするために、この奥側部３２ａは、この取付部３１の正面縁部側に向かって少し広がっており、外れ止め部３２ｂが形成されている。
【００５９】
つまり、図４に示すように、緑化用板状部材１６に形成された溝部１７に補助部材取付体２８が取り付けられ、この補助部材取付体２８の取付部３１に形成された切欠き部３２の開口は上方に向かって開口し、この切欠き部３２の奥側部３２ａに植物伸長用補助部材１９の線状体１９ａが係合されて取り付けられている。この切欠き部３２の奥側部３２ａの底縁部で植物伸長用補助部材１９を保持しているので、植物伸長用補助部材１９が取付部３１から外れ難いようになっている。
【００６０】
また、補助部材取付体２８に取り付けられた植物伸長用補助部材１９は、図５に示すように、緑化用板状部材１６の各リブ２０の表面から所定の間隔を隔てて配置されている。このようにしているのは、植物１８の蔓が植物伸長用補助部材１９の線状体１９ａに巻き付き易くするためである。
【００６１】
植物伸長用補助部材１９は、図４に示すように、例えば外形が矩形の網状体であり、植物１８を巻き付かせるためのものである。この植物伸長用補助部材１９は、例えば金属製又は合成樹脂製の線状体１９ａを格子状に配置して形成したものであり、各線状体１９ａの交差する部分は、互いに結合している。そして、この植物伸長用補助部材１９は、緑化用板状部材１６よりも少し小さい四角形に形成され、各緑化用板状部材１６に対して植物伸長用補助部材１９が、例えば１つずつ取り付けられている。
【００６２】
ただし、この実施形態では、図４に示すように、植物伸長用補助部材１９を緑化用板状部材１６よりも少し小さい四角形に形成して、各緑化用板状部材１６に対して植物伸長用補助部材１９を１つずつ取り付けたが、これに代えて、この植物伸長用補助部材１９を所望の形状に形成して、複数ずつ取り付けたり、所望の数ずつ取り付けることもできる。このように、植物伸長用補助部材１９を所望の形状に形成することによって、緑化用板状部材１６の外表面において、所望の範囲での緑化を図るようにすることができる。また、植物伸長用補助部材１９を網状体としたが、これに代えて、線状体としてもよい。このように、植物伸長用補助部材を線状体としたときは、鉛直方向に延びるように、補助部材取付体２８に取り付けるとよい。
【００６３】
次に、上記のように構成された補助部材取付具１４及び壁面等の緑化構造１５の作用を説明する。この補助部材取付具１４が取り付けられる緑化用板状部材１６は、図１、図４及び図５に示すように、例えば建物、土木構造物、又は塀の壁部や屋根を形成するために使用することができる。そして、この補助部材取付具１４によると、図２に示すように、この補助部材取付体２８が有している固定部３０を緑化用板状部材１６の溝部１７の底面１７ａと、各リブ２０に設けられた一対の係合凸部２０ａとの間に装着することによって、この補助部材取付体２８を溝部１７に着脱自在に取り付けることができる。また、この補助部材取付体２８が備えている取付部３１は、網状の植物伸長用補助部材１９を着脱自在に取り付けることができる。そして、この植物伸長用補助部材１９には、図４及び図５に示すように、緑化用板状部材１６の外表面に沿って伸長する植物１８の蔓が巻き付くことができる。
【００６４】
よって、この補助部材取付具１４を緑化用板状部材１６の溝部１７に取り付けると共に、この補助部材取付具１４に植物伸長用補助部材１９を取り付けて、この植物伸長用補助部材１９に所望の蔓系植物１８の蔓を巻き付かせることができる。これによって、壁面や屋根の緑化を図ることができる。
【００６５】
なお、この実施形態では、図には示さないが、植物１８は、例えば地面に植えられており、植物１８が成長すると共に、その蔓が植物伸長用補助部材１９に巻き付きながら上方に向かって伸びていき、この植物１８が緑化用板状部材１６の表面を覆うようになる。また、補助部材取付具１４は、例えば緑化用板状部材１６に形成されている溝部１７の端部から挿入して、所望の位置に装着することができる。
【００６６】
また、図２に示すように、補助部材取付具１４によると、補助部材取付体２８が備えている固定部３０を緑化用板状部材１６の溝部１７に装着して取り付けることができ、この固定部３０と結合する取付部３１に植物伸長用補助部材１９を取り付けることができる構成であるので、緑化用板状部材１６に穴を開けることなく、補助部材取付体２８を緑化用板状部材１６に取り付けることができる。よって、緑化用板状部材１６の防水性能や強度を低下させることなく、補助部材取付体２８を緑化用板状部材１６に取り付けることができ、更に、この植物伸長用補助部材１９を、簡単で短時間に確実に補助部材取付体２８を介して緑化用板状部材１６に着脱自在に取り付けることができる。
【００６７】
そして、この補助部材取付具１４は、緑化用板状部材１６の溝部１７が形成されている範囲内の任意の位置に取り付けることができる。これによって、所望の形状や寸法の植物伸長用補助部材１９を、緑化用板状部材１６の上記任意の位置に取り付けることが可能となる。そして、補助部材取付具１４を緑化用板状部材１６に取り付けるための施工コストの低減を図ることができる。
【００６８】
また、図４及び図５に示す壁面等の緑化構造１５によると、緑化用板状部材１６が取り付けられる建物、土木構造物、又は塀の壁部や屋根の周囲環境及び周囲の景色等に応じて、所望の様々な植物を植物伸長用補助部材１９に巻き付かせることができ、これによって、壁面や屋根の緑化を図ることができる。
【００６９】
更に、図２に示す補助部材取付具１４によると、合成ゴムで形成された押圧部材２９の弾性力によって、補助部材取付体２８の固定部３０をリブ２０の係合凸部２０ａ側（又は溝部１７の底面１７ａ側）に押圧してこの固定部３０を溝部１７に取り付けており、この押圧部材２９は、合成ゴムで形成されているので、補助部材取付体２８が溝部１７に装着されたときに、緑化用板状部材１６を損傷させることがなく、緑化用板状部材１６の寿命を長引かせることができる。また、植物伸長用補助部材１９は、図３（ｂ）及び図４に示すように、切欠き部３２の奥側部３２ａに着脱自在に係合させることによって、取付部３１に着脱自在に確実に取り付けることができる。
【００７０】
次に、本発明に係る補助部材取付具、壁面等の緑化構造及び緑化用板状部材の第２実施形態を、図６〜図８を参照して説明する。この図６に示す第２実施形態の補助部材取付具３５、及び壁面等の緑化構造３６と、図１に示す第１実施形態の補助部材取付具１４、及び壁面等の緑化構造１５とが相違するところは、以下のところである。
【００７１】
つまり、図２に示す第１実施形態の壁面等の緑化構造１５では、これに使用される緑化用板状部材１６の溝部１７の断面形状が略逆Ｔ字形であり、この溝部１７を形成する左右の各リブ２０は、略Ｔ字形である。そして、補助部材取付体２８は、図２に示すように、正面形状が逆Ｔ字形状であり、その固定部３０が溝部１７の底側部に装着された状態で、押圧部材２９の弾性力によって、固定部３０の左右の各縁部が、リブ２０に形成されている一対の各係合凸部２０ａの内面に押し付けられ、このようにして、補助部材取付具１４が溝部１７に取り付けられる。
【００７２】
これに対して、図７に示す第２実施形態の壁面等の緑化構造３６では、これに使用される緑化用板状部材３７の溝部３８の断面形状が略Ｌ字形であり、この溝部３８を形成する左側のリブ３９には係合凸部が形成されていないが、右側のリブ３９には係合凸部２０ａが形成されている。そして、補助部材取付具３５が有する補助部材取付体４０は、正面形状が略Ｌ字形状であり、その固定部４１が溝部３８の底側部に装着された状態で、押圧部材４２の弾性力によって、固定部４１が、右側リブ３９に形成されている係合凸部２０ａの内面に押し付けられている。
【００７３】
また、図７に示すように、溝部３８に装着された補助部材取付体４０が、係合凸部２０ａが形成されていない左側リブ３９側に移動しないように、この左側リブ３９と補助部材取付体４０との間であって、溝部３８の底面３８ａに接触するように留め部材４３が装着されている。そして、溝部３８の開口に被覆部４４が例えば充填によって設けられている。この被覆部４４は、留め部材４３が溝部３８の開口から外れないように留めておくと共に、補助部材取付体４０の固定部４１及び取付部３１の下部を被覆するためのものである。
【００７４】
この留め部材４３は、押圧部材４２と同等の例えば合成ゴム製のゴム様弾性体であり、断面が矩形であって固定部４１と略同一の長さに形成されている。そして、被覆部４４は、例えばシール材であり、溝部３８の開口の全体を被覆するように設けられている。このようにして、補助部材取付具３５が溝部３８に取り付けられている。
【００７５】
これ以外は、第１実施形態と同等であり、同等部分を同一の図面符号で示し、それらの説明を省略する。図８は、第２実施形態の補助部材取付体４０を示す図であり、図８（ａ）は、拡大正面図、図８（ｂ）は、拡大側面図である。
【００７６】
この図６及び図７に示す第２実施形態の補助部材取付具３５によると、この補助部材取付具３５が有する補助部材取付体４０は、図７に示すように、正面形状が略Ｌ字形状の部材であるので、その固定部４１を溝部３８の長さ方向のいずれの位置からでも、その溝部３８の開口から挿入して溝部３８に装着することができるように形成されている。つまり、第１実施形態の補助部材取付体２８のように、この補助部材取付体２８を溝部１７の端部から溝部１７内に挿入する必要が無いので、緑化用板状部材３７を建物の躯体側に設けられた下地材２４に取り付けた後であっても、又は、下地材２４に取り付ける前のいずれの状態でも、この第２実施形態の補助部材取付具３５を溝部３８に簡単に着脱自在に取り付けることができ、取付け作業の作業性が良い。
【００７７】
そして、壁面等の緑化構造３６は、図６及び図７に示すように、溝部３８の開口に設けられた被覆部４４によって、溝部３８に取り付けられた補助部材取付体４０の固定部４１及び取付部３１の下部を被覆することができ、これによって、この補助部材取付具３５が取り付けられた緑化用板状部材３７の外観の見栄えを良くすることができる。
【００７８】
次に、本発明に係る補助部材取付具、壁面等の緑化構造及び緑化用板状部材の第３実施形態を、図９〜図１１を参照して説明する。この図９に示す第３実施形態の補助部材取付具４７、及び壁面等の緑化構造４８と、図１に示す第１実施形態の補助部材取付具１４、及び壁面等の緑化構造１５とが相違するところは、補助部材取付具４７と１４とが相違するところである。これ以外は、第１実施形態と同等であり、同等部分を同一の図面符号で示し、それらの説明を省略する。
【００７９】
この図１０及び図１１に示す第３実施形態の補助部材取付具４７は、例えば金属製又は合成樹脂製であり、固定部４９、取付部５０、留めボルト５１、及び留めナット５２、５３を備えている。
【００８０】
固定部４９は、矩形の板状体であり、図１１（ａ）、（ｂ）に示すように、２つの第１雌ねじ部５４が互いに間隔を隔てて形成されており、これら２つの各第１雌ねじ部５４に留めボルト５１が螺合している。
【００８１】
そして、図１０に示すように、これら２つの各留めボルト５１の先端部が溝部１７の底面１７ａに当接して、固定部４９をリブ２０に設けられた係合凸部２０ａの内面に押し付けている。このようにして、固定部４９を溝部１７に取り付けている。なお、図１０及び図１１（ａ）に示す留めボルト５１に螺合する留めナット５２は、留めボルト５１を固定部４９に固定するためのものである。
【００８２】
取付部５０は、図１０及び図１１に示すように、受け部５５と押さえ部５６とを有している。この受け部５５及び押さえ部５６は、略同一形状の矩形の板状体である。この受け部５５は、図１１（ａ）、（ｂ）に示すように、２つの第２雌ねじ部５７が互いに間隔を隔てて形成されており、これら２つの各第２雌ねじ部５７には、固定部４９に螺合する２本の各留めボルト５１が螺合している。
【００８３】
押さえ部５６は、図１０及び図１１に示すように、受け部５５と互いに重なり合った状態で、網状の植物伸長用補助部材１９が有する線状体１９ａを挟み込んで保持することができるものである。この押さえ部５６には、２本の各留めボルト５１が挿通する挿通孔を有し、各挿通孔に挿通する各留めボルト５１に留めナット５３が螺合しており、これら各留めナット５３によって、押さえ部５６を受け部５５側に押し付けている。このようにして、植物伸長用補助部材１９の線状体１９ａを押さえ部５６と受け部５５との間に挟み込んで保持している。そして、この押さえ部５６及び受け部５５の略中央には、網状の植物伸長用補助部材１９が有する線状体１９ａを位置決めして保持するための保持部５８、５８が形成されている。これら各保持部５８、５８は、略半円筒形に形成されている。
【００８４】
この図１０に示す補助部材取付具４７を緑化用板状部材１６の溝部１７に取り付けるときは、例えばまず、固定部４９の第１雌ねじ部５４に螺合する留めボルト５１の先端部を溝部１７の底面１７ａに当接させて、この留めボルト５１を所定方向に回転させて締め付ける。この締付けによる反力によって、固定部４９の左右の各縁部を、左右の各リブ２０に設けられた一対の各係合凸部２０ａの内面に押し付けることができ、固定部４９及び留めボルト５１を溝部１７に固定して取り付けることができる。そして、留めナット５２を締め付けて、留めボルト５１が固定部４９に対して緩まないようにする。
【００８５】
そして、網状の植物伸長用補助部材１９を補助部材取付具４７の取付部５０に取り付けるときは、留めボルト５１に螺合する受け部５５と、押さえ部５６との間に植物伸長用補助部材１９の線状体１９ａを挟み込んだ状態にして、留めボルト５１に螺合する留めナット５３を締め付ける。これによって、押さえ部５６を受け部５５側に押し付けることができ、押さえ部５６と受け部５５との間に植物伸長用補助部材１９の線状体１９ａを挟み込んで保持することができる。このようにして、植物伸長用補助部材１９を取付部５０に着脱自在に取り付けることができる。
【００８６】
次に、本発明に係る壁面等の緑化構造の他の実施形態を、図１２〜図１４を参照して説明する。これら図１２〜図１４に示す３つの各実施形態の壁面等の緑化構造６１、６２、６３と、図１等に示す上記各実施形態の壁面等の緑化構造１５等とが相違するところは、上記各実施形態の壁面等の緑化構造１５等では、緑化用板状部材１６等に形成されている各リブ２０等の先端部の表面を平坦面として形成したのに対して、図１２〜図１４に示す３つの各実施形態の壁面等の緑化構造６１、６２、６３では、緑化用板状部材１６に形成されている各リブ２０の先端部の表面に、植物１８の蔓が張り付き易くするための多数の凹凸部６４、６５、６６を設けたところである。
【００８７】
これ以外は、上記各実施形態の壁面等の緑化構造と同等であり、同等部分を同一の図面符号で示し、それらの説明を省略する。なお、図１２〜図１４に示す各壁面等の緑化構造６１、６２、６３では、補助部材取付具１４等を省略している。
【００８８】
このように、各リブ２０の先端部の表面に多数の凹凸部６４、６５、６６を設けた構成とすると、植物１８の蔓が、リブ２０の先端部の表面に設けられた多数の凹凸部６４、６５、６６に引っ掛かることによって、このリブ２０の先端部の表面に張り付き易くすることができる。これによって、植物伸長用補助部材１９に巻き付いている植物１８が、リブ２０の先端部の表面に張り付くことができるので、この植物１８が緑化用板状部材１６の表面から離脱して落下することを防止できる。
【００８９】
図１２に示すリブ２０の先端部の表面に設けられている多数の凹凸部６４は、小さな多数の砂等から成る粒状体をリブ２０の表面に付着させて形成したものである。そして、図１３に示すリブ２０の先端部の表面に設けられている多数の凹凸部６５は、溝部１７と平行する方向に延びる断面形状がＶ字形溝を複数形成したものである。また、図１４に示すリブ２０の先端部の表面に設けられている多数の凹凸部６６は、溝部１７と平行する方向に延びるあり溝を複数形成したものである。
【００９０】
このように、凹凸部６４等を、多数の粒状体で形成したり、溝部１７と平行する方向に延びる断面形状がＶ字形溝、又はあり溝で形成することによって、緑化用板状部材１６の表面に対して所望のデザインを施すことができる。
【００９１】
そして、凹凸部６６をあり溝とすることによって、植物１８の蔓がこのあり溝に入り込むことで、植物１８がリブ２０の先端部の表面にしっかりと張り付くことができる。また、図示しないが、凹凸部をエンボス加工によって施すようにすることもできる。このようにすると、エンボス加工に使用する押し型を所望の形状に形成することによって、種々の模様や図柄の凹凸をリブの表面に施すことができる。
【００９２】
また、図には示さないが、凹凸部として、溝部１７と平行する方向に延びる断面形状がコ字形溝を複数形成したものとしてもよい。更に、例えば表面に多数の凹凸部が形成されたタイルをリブ２０の表面に設けたものとしてもよい。
【００９３】
そして、これらのＶ字形溝、あり溝、又はコ字形溝等の溝は、例えば緑化用板状部材１６が押出成形される際に、押出成形用金型によって形成されるようにすることができる。また、緑化用板状部材１６が成形された後で、リブ２０の表面にエンボス加工によって凹凸部を施すこともできる。
【００９４】
ただし、上記第１及び第３実施形態では、図２及び図１０に示すように、溝部１７の開口に被覆部４４を設けていない構成としたが、図６に示す第２実施形態のように、溝部１７の開口に被覆部４４を設けた構成としてもよい。
【００９５】
そして、上記第３実施形態では、図１０及び図１１等に示すように、第１雌ねじ部５４が固定部４９に形成されていると共に、第２雌ねじ部５７が受け部５５に形成されている構成としたが、これに代えて、第１及び第２雌ねじ部５４、５７のいずれか一方若しくは両方が、固定部４９及び受け部５５とは別物のナットである構成としてもよい。
【００９６】
つまり、固定部４９及び留めボルト５１を溝部１７に取り付ける取付け作業、及び植物伸長用補助部材１９を取付部５０に取り付ける取付け作業のそれぞれの作業性に応じて、上記いずれかの構成を採用して使用することができる。
【産業上の利用可能性】
【００９７】
以上のように、本発明に係る補助部材取付具、壁面等の緑化構造及び緑化用板状部材は、緑化用板状部材の防水性能や強度が低下しないように、補助部材取付具を緑化用板状部材に取り付けることができる優れた効果を有し、このような補助部材取付具、壁面等の緑化構造及び緑化用板状部材に適用するのに適している。
【符号の説明】
【００９８】
１４、３５、４７  補助部材取付具
１５、３６、４８、６１、６２、６３  壁面等の緑化構造
１６、３７  緑化用板状部材+
１６ａ  板状体
１７、３８  溝部
１７ａ、３８ａ  底面
１８  植物
１９  植物伸長用補助部材
１９ａ  線状体
２０、３９  リブ
２０ａ  係合凸部
２１  中空部
２２  凸部
２３  凹部
２４  下地材
２５  パネル取付金具
２６  ボルト
２７  ナット
２８、４０  補助部材取付体
２９、４２  押圧部材
３０、４１、４９  固定部
３１、５０  取付部
３２  切欠き部
３２ａ  奥側部
３２ｂ  外れ止め部
４３  留め部材
４４  被覆部
５１  留めボルト
５２、５３  留めナット
５４  第１雌ねじ部
５５  受け部
５６  押さえ部
５７  第２雌ねじ部
５８  保持部
６４、６５、６６  凹凸部
【図１】
0005837798.tif 000002
【図２】
0005837798.tif 000003
【図３】
0005837798.tif 000004
【図４】
0005837798.tif 000005
【図５】
0005837798.tif 000006
【図６】
0005837798.tif 000007
【図７】
0005837798.tif 000008
【図８】
0005837798.tif 000009
【図９】
0005837798.tif 000010
【図１０】
0005837798.tif 000011
【図１１】
0005837798.tif 000012
【図１２】
0005837798.tif 000013
【図１３】
0005837798.tif 000014
【図１４】
0005837798.tif 000015
【図１５】
0005837798.tif 000016